【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
印刷媒体に画像を印刷する印刷装置を制御する印刷制御装置であって、
印刷対象のデータに対する印刷設定として設定されている印刷媒体の設定サイズが、前記印刷装置にセットされている印刷媒体のサイズとして特定された特定サイズと異なる場合に、前記設定サイズと前記特定サイズが所定の条件を満たすときに、前記設定サイズに対応する大きさの、前記印刷対象のデータに基づく画像の印刷をユーザが指示することが可能な画面を表示装置に表示させる表示制御手段と、
前記表示制御手段により表示された前記画面に対するユーザの指示に応じて、前記画像を印刷装置に前記印刷媒体へ印刷させる印刷制御手段と、
を有し、
前記設定サイズが前記特定サイズと異なり且つ前記設定サイズと前記特定サイズが前記所定の条件を満たさないときに、前記画面が前記表示装置に表示されないことを特徴とする印刷制御装置。
【請求項２】
前記表示制御手段により前記画面が表示されているときに、前記画像の前記印刷媒体への印刷を実行させないための指示をユーザが行うことが可能であり、
前記印刷制御手段は、前記画像の前記印刷媒体への印刷を実行させないための指示がユーザにより行われた場合、前記画像の前記印刷媒体への印刷が実行されないように制御することを特徴とする請求項１に記載の印刷制御装置。
【請求項３】
前記表示制御手段は、前記前記画像の前記印刷媒体への印刷を実行させるための指示と前記印刷を実行させないための指示をユーザが選択可能な画面を前記表示装置に表示させることを特徴とする請求項２に記載の印刷制御装置。
【請求項４】
前記印刷制御手段による印刷対象の画像をメモリに記憶させる記憶制御手段を有し、
前記表示制御手段は、前記印刷を実行させないための前記指示として、前記記憶制御手段により前記メモリに記憶された前記画像の前記メモリへの記憶を維持させて前記印刷をキャンセルさせるための指示と、前記記憶を維持させないで前記印刷をキャンセルさせるための指示をユーザが選択可能な画面を表示させることを特徴とする請求項３に記載の印刷制御装置。
【請求項５】
前記所定の条件は、前記設定サイズが前記特定サイズよりも大きいことを含み、
前記設定サイズが前記特定サイズよりも大きい場合、前記印刷をユーザが指示することが可能な前記画面が表示され、
前記設定サイズが前記特定サイズよりも小さい場合、前記画面は表示されないことを特徴とする請求項１乃至４に記載の印刷制御装置。
【請求項６】
印刷媒体に画像を印刷する印刷装置を制御する印刷制御装置であって、
印刷対象のデータに対する印刷設定として設定されている印刷媒体の設定サイズが、前記印刷装置にセットされている印刷媒体のサイズとして特定されたサイズと異なる場合に所定の第１の画面を表示させ、前記所定の第１の画面に対するユーザの指示に応じて、前記設定サイズに対応する大きさの、前記印刷対象のデータに基づく画像の印刷を実行させるための印刷指示、または前記印刷を実行させないためのキャンセル指示をユーザが行うことが可能な第２の画面を表示装置に表示させる表示制御手段と、
前記表示制御手段により表示された前記第２の画面に対するユーザの印刷指示に応じて、前記画像を印刷装置に前記印刷媒体へ印刷させる印刷制御手段と、
を有し、
前記第２の画面において前記キャンセル指示が行われた場合、前記画像は前記印刷装置により印刷されないことを特徴とする印刷制御装置。
【請求項７】
前記印刷制御手段は、前記印刷設定として自動変倍が設定されている場合、前記設定サイズが前記特定サイズと異なる場合であっても、前記特定サイズに応じて前記画像を印刷させることを特徴とする請求項１乃至６のいずれか１項に記載の印刷制御装置。
【請求項８】
前記印刷装置にセットされている前記印刷媒体の幅を前記印刷装置が備えるセンサが検出することで特定された前記印刷媒体のサイズを前記特定サイズとして取得する取得手段を有し、
前記設定サイズが、前記取得手段により取得された特定サイズと異なり且つ前記設定サイズと前記特定サイズが所定の条件を満たすときに、前記画面を表示装置に表示させることを特徴とする請求項１乃至７のいずれか１項に記載の印刷制御装置。
【請求項９】
前記印刷装置は、印刷媒体を印刷ヘッドに対応する位置に搬送し且つ前記印刷ヘッドを備えるキャリッジを走査させることで、前記搬送された印刷媒体に対して前記印刷ヘッドにより印刷を実行し、前記センサは前記キャリッジに設けられ、前記印刷媒体が搬送されたときに前記印刷媒体の幅を検出することを特徴とする請求項８に記載の印刷制御装置。
【請求項１０】
前記印刷装置を印刷部として備えることを特徴とする請求項１乃至９のいずれか１項に記載の印刷制御装置。
【請求項１１】
原稿を読み取る読取部を更に備え、
前記印刷対象のデータは、前記読取部により原稿を読み取ることで得られたデータであることを特徴とする請求項１乃至１０のいずれか１項に記載の印刷制御装置。
【請求項１２】
外部装置と通信を行う通信部を更に備え、
前記印刷対象のデータは、前記通信部を介して外部装置から受信したデータであることを特徴とする請求項１乃至１０のいずれか１項に記載の印刷制御装置。
【請求項１３】
印刷媒体に画像を印刷する印刷装置を制御する印刷制御方法であって、
印刷対象のデータに対する印刷設定として設定されている印刷媒体の設定サイズが、前記印刷装置にセットされている印刷媒体のサイズとして特定された特定サイズと異なる場合に、前記設定サイズと前記特定サイズが所定の条件を満たすときに、前記設定サイズに対応する大きさの、前記印刷対象のデータに基づく画像の印刷をユーザが指示することが可能な画面を表示装置に表示させる表示制御工程と、
前記表示制御工程において表示された前記画面に対するユーザの指示に応じて、前記画像を印刷装置に前記印刷媒体へ印刷させる印刷制御工程と、
を有し、
前記設定サイズが前記特定サイズと異なり且つ前記設定サイズと前記特定サイズが前記所定の条件を満たさないときに、前記画面が前記表示装置に表示されないことを特徴とする印刷制御方法。
【請求項１４】
印刷媒体に画像を印刷する印刷装置を制御する印刷制御方法であって、
印刷対象のデータに対する印刷設定として設定されている印刷媒体の設定サイズが、前記印刷装置にセットされている印刷媒体のサイズとして特定された特定サイズと異なる場合に所定の第１の画面を表示させ、前記所定の第１の画面に対するユーザの指示に応じて、前記設定サイズに対応する大きさの、前記印刷対象のデータに基づく画像の印刷を実行させるための印刷指示、または前記印刷を実行させないためのキャンセル指示をユーザが行うことが可能な第２の画面を表示装置に表示させる表示制御工程と、
前記表示制御工程において表示された前記第２の画面に対するユーザの印刷指示に応じて、前記画像を印刷装置に前記印刷媒体へ印刷させる印刷制御工程と、
を有し、
前記第２の画面において前記キャンセル指示が行われた場合、前記画像は前記印刷装置により印刷されないことを特徴とする印刷制御方法。
【請求項１５】
請求項１乃至１２のいずれか１項に記載の印刷制御装置の各手段としてコンピュータを機能させるためのプログラム。
【手続補正２】
【補正対象書類名】明細書
【補正対象項目名】０００６
【補正方法】変更
【補正の内容】
【０００６】
本発明は上記の課題を解決するために、設定サイズと、印刷装置にセットされている印刷媒体のサイズとに基づき、適切な場合に画像を印刷させることができる印刷制御装置、印刷制御方法、およびプログラムを提供することを目的とする。
【手続補正３】
【補正対象書類名】明細書
【補正対象項目名】０００７
【補正方法】変更
【補正の内容】
【０００７】
本発明の印刷制御装置は、印刷媒体に画像を印刷する印刷装置を制御する印刷制御装置であって、印刷対象のデータに対する印刷設定として設定されている印刷媒体の設定サイズが、前記印刷装置にセットされている印刷媒体のサイズとして特定された特定サイズと異なる場合に、前記設定サイズと前記特定サイズが所定の条件を満たすときに、前記設定サイズに対応する大きさの、前記印刷対象のデータに基づく画像の印刷をユーザが指示することが可能な画面を表示装置に表示させる表示制御手段と、前記表示制御手段により表示された前記画面に対するユーザの指示に応じて、前記画像を印刷装置に前記印刷媒体へ印刷させる印刷制御手段と、を有し、前記設定サイズが前記特定サイズと異なり且つ前記設定サイズと前記特定サイズが前記所定の条件を満たさないときに、前記画面が前記表示装置に表示されないことを特徴とする。
【手続補正４】
【補正対象書類名】明細書
【補正対象項目名】０００８
【補正方法】変更
【補正の内容】
【０００８】
本発明によれば、設定サイズと、印刷装置にセットされている印刷媒体のサイズとに基づき、適切な場合に画像を印刷させることができる。